(57)【特許請求の範囲】
【請求項１】
一側に複数の電極タブを有する扁平型の電池セルを間に収納可能に配列される複数の中板を備える電池セル収納装置であって、
各々の前記中板は、
前記複数の電極タブに対応する位置に各々設けられた複数の凹部と、
前記複数の凹部の各々対向する一側部から他側部へ向けて延伸し、抜き差しされる前記電池セルの前記複数の電極タブをガイドするように形成される複数のガイド部材と、
を有し、
前記ガイド部材の厚みは、少なくとも前記凹部の側部において前記中板の厚みと略同一で、前記電池セルが抜き差しされる方向における前記凹部の中心に向けて一定、または減少するように形成され、
前記凹部の側部に沿う方向の前記ガイド部材の長さは、少なくとも前記凹部の側部において、前記方向の前記電極タブの長さよりも長くなるように形成される、電池セル収納装置。
【請求項２】
前記ガイド部材は、
前記凹部の側部から延伸する長さが前記凹部の底部に近いほど長くなるように形成される、請求項１に記載の電池セル収納装置。
【請求項３】
前記ガイド部材は、
前記電池セルが抜き差しされる方向に沿って前記凹部の側部から前記凹部の底部の中心まで延伸するように形成される、請求項２に記載の電池セル収納装置。
【請求項４】
前記ガイド部材は、
前記電池セルが抜き差しされる方向に沿って、前記凹部の側部に近いほど厚く、前記凹部の中心に近いほど薄く形成される、請求項１〜３のいずれか１項に記載の電池セル収納装置。
【請求項５】
前記ガイド部材は、
前記凹部の底部に近いほど厚く形成される、請求項４に記載の電池セル収納装置。
【請求項６】
前記ガイド部材は、
前記電極タブに接続される機器との接触が避けられる形状に形成される、請求項１〜５のいずれか１項に記載の電池セル収納装置。
【発明の詳細な説明】
【技術分野】
【０００１】
電池セル収納装置に関する。
【背景技術】
【０００２】
複数の扁平型の電池セルをまとめて搬送するために、電池セルを厚み方向に配列して収納する収納装置が知られている（たとえば、下記特許文献１を参照）。特許文献１の収納装置では、両側板間に配置された複数枚の中板によって区画された各々の収容室に、一側に２つの電極タブを有する扁平型の電池セルが配置されるように構成されている。中板同士の間隔は、チャック機構により調整される。また、各々の上記中板は上記２つの電極タブに対応する位置に各々凹部を有するため、電池セルに対して性能試験などを実施する計測機器が上記中板と接触することなく上記２つの電極タブと接続することが可能となる。電池セルは、搬送先の各工程において必要に応じて収納装置に対して抜き差しされうる。
【０００３】
しかしながら、電池セルの電極タブは製造工程においてその形状にバラツキが生じることがある。収納装置の中板同士の間隔が狭い場合、電極タブが曲がっていると、電池セルを収納装置に対して抜き差しする際に中板の凹部の側部に電極タブが引っかかり、変形するおそれがある。変形した電極タブは、形を修正するためにさらに工程を要する。
【先行技術文献】
【特許文献】
【０００４】
【特許文献１】特開２０１２−３９５９号公報
【発明の概要】
【発明が解決しようとする課題】
【０００５】
本発明は、上記問題に鑑みてなされたものである。したがって、本発明の目的は、中板同士の間隔が狭い場合であっても、電池セルが抜き差しされる際に電極タブが中板の凹部の側部に引っかかることを防止もしくは抑制する電池セル収納装置を提供することである。
【課題を解決するための手段】
【０００６】
本発明の上記目的は、下記の手段によって達成される。
【０００７】
本発明の電池セル収納装置は、一側に複数の電極タブを有する扁平型の電池セルを間に収納可能に配列される複数の中板を備える。各々の中板は、複数の凹部と、複数のガイド部材と、を有する。複数の凹部は、複数の電極タブに対応する位置に各々設けられる。複数のガイド部材は、複数の凹部の各々対向する一側部から他側部へ向けて延伸し、抜き差しされる電池セルの複数の電極タブをガイドするように形成される。ガイド部材の厚みは、少なくとも凹部の側部において中板の厚みと略同一で、電池セルが抜き差しされる方向における凹部の中心に向けて一定、または減少するように形成される。また、凹部の側部に沿う方向のガイド部材の長さは、少なくとも凹部の側部において、上記方向の電極タブの長さよりも長くなるように形成される。
【発明の効果】
【０００８】
本発明によれば、電池セルが抜き差しされる際にガイド部材によって電極タブがガイドされるので、電極タブが電池セルの厚み方向に曲がっていたとしても中板の凹部の側部に引っかかることを防止もしくは抑制できる。
【図面の簡単な説明】
【０００９】
【図１】本発明の第１の実施形態に係る電池セル収納装置によって収納される電池セルの外観を示す斜視図である。
【図２】本発明の第１の実施形態に係る電池セル収納装置の概略構成を示す平面図である。
【図３】図２の矢印ＩＩＩ方向から見た電池セル収納装置の側面図である。
【図４】図２に示す電池セル収納装置の中板の構成を模式的に示す平面図である。
【図５】図２に示す中板間に収納された電池セルの各部と中板の各部との位置関係について説明するための模式図である。
【図６】図４に示す第１〜第３ガイド部材の形状について説明するための模式図である。
【図７】図４に示す第１〜第３ガイド部材の作用を説明するための斜視図である。
【図８】本発明の第２の実施形態に係る中板の平面図および矢印Ａから見た矢視図である。
【図９】図８に示す第１〜第３ガイド部材の作用を説明するための斜視図である
【図１０】本発明の第３の実施形態に係る中板の平面図、矢印Ａから見た矢視図および矢印Ｂから見た矢視図である。
【図１１】図１０に示す第１〜第３ガイド部材の作用を説明するための斜視図である。
【発明を実施するための形態】
【００１０】
以下、添付した図面を参照して本発明の電池セル収納装置の実施形態を説明する。なお、図中、同一の部材には同一の符号を用いた。また、図面の寸法比率は、説明の都合上誇張されており、実際の比率とは異なる場合がある。
【００１１】
（第１の実施形態）
＜電池セルの構成＞
図１は、第１の実施形態の電池セル収納装置によって収納される電池セルの外観を示す斜視図である。
【００１２】
図１に示すように、電池セル１００は、扁平な矩形形状を有しており、電極タブとしての正極タブ１１０および負極タブ１２０が外装材１３０の一側から導出されている。外装材１３０は、たとえば、アルミシートの表面を樹脂コーティングしたものである。
【００１３】
外装材１３０の内部には、充放電反応が進行する発電要素（電池要素）および電解液が収容されている。発電要素は、間にシート状のセパレータを挟みつつ、正極と、負極とが交互に積層されて形成される。正極タブ１１０および負極タブ１２０（以下、「電極タブ１１０，１２０」と書く）は、それぞれ、電池要素の正極および負極に接続されている。
【００１４】
＜電池セル収納装置の構成＞
図２は本実施形態の電池セル収納装置の概略構成を示す平面図であり、図３は図２の矢印ＩＩＩ方向から見た電池セル収納装置の側面図である。本実施形態の電池セル収納装置２００は、電池セル１００を厚み方向に配列して収納するための装置である。各々の電池セル１００は、搬送先の各工程において必要に応じて抜き差し可能に構成されている。
【００１５】
電池セル収納装置２００は、フレーム２１０と、固定部２２０と、複数の中板２３０とを有する。フレーム２１０は、側板２１１、２１２、底板２１３（図３を参照）および通し棒２１４を有する。側板２１１および側板２１２は、矩形状の板材であり、電池セル収納装置２００の側壁として立設されている。側板２１１，２１２の底部には、底板２１３が固定されている。側板２１１，２１２および底板２１３により、電池セル収納装置２００は、３面が板材に囲われて、残りの３面が開放されたボックス形状に形成される。通し棒２１４は、４本の棒材であり、側板２１１，２１２の対応する四隅同士を連結する。つまり、通し棒２１４は、電池セル収納装置２００のボックス形状のうち、側板２１１，２１２に亘る４辺を構成する。
【００１６】
側板２１２の中央には、固定部２２０が挿通される挿通孔２１２Ｈが形成されている。挿通孔２１２Ｈには、内ネジが形成されており、固定部２２０と螺合する。
【００１７】
固定部２２０は、ネジ部２２１、可動プレート２２２および当接部２２３を有する。ネジ部２２１は、側板２１２の挿通孔２１２Ｈと螺合するネジが表面に形成されている。ネジ部２２１の一端には、可動プレート２２２に当接可能な当接部２２３が形成されている。また、ネジ部２２１の他端は、ネジ部２２１を回転させるための駆動装置３００と連結されている。ネジ部２２１は、駆動装置３００によって駆動されて回転し、表面に形成されたネジにより回転運動が直線運動に変換され、可動プレート２２２に接近あるいは離間する方向に直線移動する。ネジ部２２１が可動プレート２２２に接近する方向に移動を続ける場合、当接部２２３は、やがて可動プレート２２２に当接し、さらに可動プレート２２２を押圧する。可動プレート２２２は、四隅に通し棒２１４が挿通されており、当接部２２３の押圧に応じて平行に移動できる。可動プレート２２２は、中板２３０間に収納された電池セル１００を当該中板２３０とともに挟持して、電池セル１００を電池セル収納装置２００内に固定する。
【００１８】
＜中板の構成＞
中板２３０は、たとえば樹脂製の板状の部材であり、フレーム２１０により形成されたボックス形状内に配置されている。複数の中板２３０は、偏平型の電池セル１００を間に収納可能なように、平行に並べて配列されている。複数の中板２３０は、電池セル１００を収納していない状態では相互に支持し合って、フレーム２１０の底板２１３上に立っている。各々の中板２３０は、通し棒２１４により側方への移動が規制されており、フレーム２１０外に脱落することはない。複数の中板２３０は、電池セル１００を収納している状態では、可動プレート２２２により押圧され、間の電池セル１００を当接あるいは加圧する。一方、駆動装置３００を制御して可動プレート２２２の押圧を緩めることにより、収納されている電池セル１００を必要に応じて電池セル収納装置２００から取り出せる。電池セル１００は、図３に示す矢印の方向に抜き差し可能である。
【００１９】
以下、図４〜図６を参照して、中板２３０の構成の詳細について説明する。図４は図２に示す電池セル収納装置２００の中板２３０の構成を模式的に示す平面図である。また、図５は、図２に示す中板２３０間に収納された電池セル１００の各部と中板２３０の各部との位置関係について説明するための模式図である。また、図６は、図４に示すガイド部材の形状について説明するための模式図である。図４〜図６において紙面の左右に平行な方向および上下に平行な方向を、それぞれＸ方向およびＹ方向と定義する。また、紙面に垂直な方向をＺ方向と定義する。このように定義すると、Ｙ方向は、電池セル１００を電池セル収納装置２００に対して抜き差しする方向と平行となり、Ｚ方向は電池セル１００を配列する方向、すなわち電池セル１００の厚み方向と平行となる。
【００２０】
図４に示すように、中板２３０は、第１支持部２３１、第２支持部２３２、第３支持部２３３、第４支持部２３４、仕切り部２３５、第１凹部２３６、第２凹部２３７、第１ガイド部材２３８、第２ガイド部材２３９および第３ガイド部材２４０を有する。
【００２１】
第１支持部２３１〜第４支持部２３４は、それぞれ中板２３０の四隅に位置し、通し棒２１４を通すための孔を備える。中板２３０は、第１支持部２３１〜第４支持部２３４に通された通し棒２１４によって支持され、底板２１３上に立てられた状態で維持される。
【００２２】
第１凹部２３６および第２凹部２３７は、電池セル１００の抜き差し方向（Ｙ方向）と平行な中板２３０の一側に形成される。第１支持部２３１および第２支持部２３２は、第１凹部２３６および第２凹部２３７により突出した形状を呈する。また、第１凹部２３６および第２凹部２３７の形成により、第１凹部２３６と第２凹部２３７との間を仕切る仕切り部２３５が形成される。仕切り部２３５も第１凹部２３６および第２凹部２３７により突出した形状を呈する。
【００２３】
なお、第１支持部２３１には、電池セル１００を差し込む際に角部が電極タブ１１０，１２０と接触することを避けるための面取り部２３１Ｒが形成されている。
【００２４】
図５に示すように、電池セル１００が中板２３０の間に収納された状態において、電池セル１００は中板２３０とＺ方向に重なり合う位置に配置される。第１凹部２３６および第２凹部２３７は、それぞれ正極タブ１１０および負極タブ１２０に対応する位置に各々設けられる。また、第１凹部２３６および第２凹部２３７の幅（Ｘ方向に沿う長さ）は、電極タブ１１０，１２０のＸ方向に沿う長さに比べて十分に長く設定される。また、第１凹部２３６および第２凹部２３７の幅（Ｙ方向に沿う長さ）は、電極タブ１１０，１２０のＹ方向に沿う長さに比べて所定の長さだけ長く設定される。
【００２５】
＜ガイド部材の構成＞
第１ガイド部材２３８は、第１凹部２３６に形成され、第１凹部２３６の対抗する一側部から他側部、すなわち第１支持部２３１の根元から仕切り部２３５へ向けて延伸し、抜き差しされる電池セル１００の電極タブ１１０，１２０をガイドする。また、第１ガイド部材２３８は、第１凹部２３６の側部、すなわち第１支持部２３１の根元から延伸する長さが第１凹部２３６の底部に近いほど長くなるように形成されうる。さらに、第１ガイド部材２３８は、電池セル１００が抜き差しされる方向に沿って第１支持部２３１の根元から第１凹部２３６の底部の中心２３６Ｃまで延伸するように形成されうる。
【００２６】
また、図６に示すように、第１凹部２３６の側部に沿う方向の第１ガイド部材２３８の長さは、当該方向の電極タブ１１０，１２０の長さよりもＬだけ長くなるように形成される。したがって、電池セル１００が抜き差しされる際に電極タブ１１０，１２０の位置がＸ方向に多少変動しても電極タブ１１０，１２０を確実にガイドできる。
【００２７】
第２ガイド部材２３９は、第１凹部２３６に形成され、第１凹部２３６の対抗する一側部から他側部、すなわち仕切り部２３５の根元から第１支持部２３１へ向けて延伸し、抜き差しされる電池セル１００の電極タブ１１０，１２０をガイドする。また、第２ガイド部材２３９は、第１凹部２３６の側部、すなわち仕切り部２３５の根元から延伸する長さが第１凹部２３６の底部に近いほど長くなるように形成されうる。さらに、第２ガイド部材２３９は、電池セル１００が抜き差しされる方向に沿って仕切り部２３５の根元から第１凹部２３６の底部の中心２３６Ｃまで延伸するように形成されうる。
【００２８】
また、第１凹部２３６の側部に沿う方向の第２ガイド部材２３９の長さは、当該方向の電極タブ１１０，１２０の長さよりもＬだけ長くなるように形成される。したがって、電池セル１００が抜き差しされる際に電極タブ１１０，１２０の位置がＸ方向に多少変動しても電極タブ１１０，１２０を確実にガイドできる。
【００２９】
第３ガイド部材２４０は、第２凹部２３７に形成され、第２凹部２３７の対抗する一側部から他側部、すなわち仕切り部２３５の根元から第２支持部２３２へ向けて延伸し、抜き差しされる電池セル１００の負極タブ１２０をガイドする。第３ガイド部材２４０は、第２凹部２３７の側部、すなわち仕切り部２３５の根元から延伸する長さが第２凹部２３７の底部に近いほど長くなるように形成されうる。また、第３ガイド部材２４０は、電池セル１００が抜き差しされる方向に沿って仕切り部２３５の根元から第２凹部２３７の底部の中心２３７Ｃまで延伸するように形成されうる。
【００３０】
また、第２凹部２３７の側部に沿う方向の第３ガイド部材２４０の長さは、当該方向の負極タブ１２０の長さよりもＬだけ長くなるように形成される。したがって、電池セル１００が抜き差しされる際に負極タブ１２０の位置がＸ方向に多少変動しても負極タブ１２０を確実にガイドできる。
【００３１】
このように、本実施形態では、第１ガイド部材２３８および第２ガイド部材２３９は、第１凹部２３６のＹ方向における中心から側部に近づくにつれて幅広に形成される。また、第３ガイド部材２４０は、第２凹部２３７のＹ方向における中心から側部に近づくにつれて幅広に形成される。一方、第１ガイド部材２３８〜第３ガイド部材の２４０のＺ方向の長さ、すなわち厚みは位置によらず一定に形成される。図６に示すように、電池セル１００は、電池セル収納装置２００に収納された状態で計測機器４００により充電試験などの性能試験が実施されうる。性能試験が実施される際、電極タブ１１０，１２０は、計測機器４００のリード４０１，４０２と接続される。本実施形態の第１ガイド部材２３８〜第３ガイド部材２４０は、リード４０１，４０２との接触が避けられる形状である。
【００３２】
なお、第１ガイド部材２３８〜第３ガイド部材２４０の形状は、中板２３０の第１凹部２３６または第２凹部２３７の側部に近づくほど幅が広くなり、中心に近づくほど幅が狭くなる形状に限定されない。第１ガイド部材２３８〜第３ガイド部材２４０の形状は、第１凹部２３６または第２凹部２３７において電極タブ１１０，１２０をガイドすることができ、かつリード４０１，４０２との接触が避けられる形状であれば他の形状でもよい。
【００３３】
＜ガイド部材の作用および効果＞
以上のような構成を有する本実施形態の第１ガイド部材２３８〜第３ガイド部材２４０の作用は、以下のとおりである。図７は、図４に示す第１ガイド部材２３８〜第３ガイド部材２４０の作用を説明するための斜視図である。
【００３４】
電池セル１００が電池セル収納装置２００に対して抜き差しされる際、電極タブ１１０，１２０は、中板２３０に沿ってＹ方向または−Ｙ方向に平行に移動する。電池セル１００が電池セル収納装置２００から引き抜かれるとき、電極タブ１１０，１２０はＹ方向に移動する。本実施形態では、電極タブ１１０，１２０がＺ方向に僅かに曲がっていたとしても、第１ガイド部材２３８によってガイドされる。したがって、電極タブ１１０，１２０が第１凹部２３６の側部（第１支持部２３１）に引っかかることが防止もしくは抑制される。
【００３５】
また、電池セル１００が差し込まれるとき、電極タブ１１０，１２０は−Ｙ方向に移動する。本実施形態では、電極タブ１１０，１２０がＺ方向に僅かに曲がっていたとしても、第２ガイド部材２３９によってガイドされる。したがって、電極タブ１１０，１２０が第１凹部２３６の側部（仕切り部２３５）に引っかかることが防止もしくは抑制される。さらに、本実施形態では、電池セル１００が引き抜かれるとき、負極タブ１２０がＺ方向に僅かに曲がっていたとしても、第３ガイド部材２４０によってガイドされる。したがって、負極タブ１２０が第２凹部２３７の側部（仕切り部２３５）に引っかかることが防止もしくは抑制される。
【００３６】
以上で説明された本実施形態の電池セル収納装置２００は下記の効果を奏する。
【００３７】
（ａ）電池セル１００が抜き差しされる際に第１ガイド部材２３８〜第３ガイド部材２４０によって電極タブ１１０，１２０がガイドされる。したがって、電極タブ１１０，１２０がＺ方向に曲がっていたとしても中板２３０の第１凹部２３６または第２凹部２３７の側部に引っかかることを防止もしくは抑制できる。
【００３８】
（ｂ）第１ガイド部材２３８〜第３ガイド部材２４０は、第１凹部２３６または第２凹部２３７の側部から延伸する長さが第１凹部２３６または第２凹部２３７の底部に近いほど長くなるように形成される。したがって、中板２３０は、第１凹部２３６および第２凹部２３７の開口面積の減少を抑制しつつ、電極タブ１１０，１２０をガイドできる。
【００３９】
（ｃ）第１ガイド部材２３８〜第３ガイド部材２４０は、第１凹部２３６または第２凹部２３７の側部から第１凹部２３６の底部の中心２３６Ｃまたは第２凹部２３７の底部の中心２３７Ｃまで延伸するように形成される。したがって、第１凹部２３６の両側部から中心２３６Ｃまで第１ガイド部材２３８および第２ガイド部材２３９を延伸させることにより、第１凹部２３６の底部を全体的にガイド部材により覆うことができる。また、第２凹部２３７の側部から中心までをガイド部材により覆うことができる。
【００４０】
（ｄ）第１凹部２３６または第２凹部２３７の側部に沿う方向の第１ガイド部材２３８〜第３ガイド部材２４０の長さは、当該方向の電極タブ１１０，１２０の長さよりも長くなるように形成される。したがって、電池セル１００が抜き差しされる際に電極タブ１１０，１２０の位置がＸ方向に多少変動しても電極タブ１１０，１２０を確実にガイドできる。
【００４１】
（ｅ）第１ガイド部材２３８〜第３ガイド部材２４０は、電極タブ１１０，１２０に接続される計測機器４００との接触が避けられる形状に形成される。したがって、第１ガイド部材２３８〜第３ガイド部材２４０と計測機器４００のリード４０１，４０２との接触が避けられる。
【００４２】
（第２の実施形態）
第１の実施形態では、第１〜第３ガイド部材の厚みは位置によらず一定に形成される場合について説明した。第２の実施形態では、第１凹部または第２凹部の側部からの距離に応じて第１ガイド部材〜第３ガイド部材の厚みを変更する場合について説明する。なお、以下では、説明の重複を避けるため、第１の実施形態と異なる構成について主に説明し、第１の実施形態と同じ構成については説明を省略する。
【００４３】
図８は、第２の実施形態に係る中板の平面図および矢印Ａから見た矢視図である。また、図９は、図８に示す第１〜第３ガイド部材の作用を説明するための斜視図である。
【００４４】
図８の平面図に示すように、中板２５０は、第１支持部２５１、第２支持部２５２、第３支持部（不図示）、第４支持部（不図示）、仕切り部２５５、第１凹部２５６、第２凹部２５７、第１ガイド部材２５８、第２ガイド部材２５９および第３ガイド部材２６０を有する。
【００４５】
図８の矢印Ａから見た矢視図に示すように、本実施形態では、第１ガイド部材２５８〜第３ガイド部材２６０は、Ｙ方向に沿って、第１凹部２５６または第２凹部２５７の側部に近いほど厚く、中心２５６Ｃまたは２５７Ｃに近いほど薄く形成されうる。
【００４６】
より具体的には、第１ガイド部材２５８は、Ｙ方向に沿って、第１凹部２５６の側部、すなわち第１支持部２５１の側部に近いほど厚く、第１凹部２５６の中心２５６Ｃに近いほど薄く形成されうる。また、第２ガイド部材２５９は、Ｙ方向に沿って、第１凹部２５６の側部、すなわち仕切り部２５５の側部に近いほど厚く、第１凹部２５６の中心２５６Ｃに近いほど薄く形成されうる。また、第３ガイド部材２６０は、Ｙ方向に沿って、第２凹部２５７の側部、すなわち仕切り部２５５の側部に近いほど厚く、第２凹部２５７の中心２５７Ｃに近いほど薄く形成されうる。
【００４７】
図９に示すように、第１ガイド部材２５８は、電極タブ１１０，１２０が第１支持部２５１を越える際のスロープとして機能するので、電極タブ１１０，１２０が第１支持部２５１に引っかかることを防止もしくは抑制できる。また、第２ガイド部材２５９は、電極タブ１１０，１２０が仕切り部２５５を越える際のスロープとして機能するので、電極タブ１１０，１２０が仕切り部２５５に引っかかることを防止もしくは抑制できる。また、第３ガイド部材２６０は、負極タブ１２０が仕切り部２５５を越える際のスロープとして機能するので、負極タブ１２０が仕切り部２５５に引っかかることを防止もしくは抑制できる。
【００４８】
以上で説明された本実施形態の電池セル収納装置２００は第１の実施形態の効果に加えて下記の効果を奏する。
【００４９】
（ｆ）第１ガイド部材２５８〜第３ガイド部材２６０は、電極タブ１１０，１２０が第１凹部２５６または第２凹部２５７の側部を越える際のスロープとして機能する。したがって、電極タブ１１０，１２０が第１凹部２５６または第２凹部２５７の側部に引っかかることを防止もしくは抑制できる。
【００５０】
（第３の実施形態）
第１および第２の実施形態では、第１〜第３ガイド部材の厚みは第１凹部または第２凹部の底部からの距離によらず一定に形成される場合について説明した。第３の実施形態では、第１凹部または第２凹部の側部および底部からの距離に応じて第１ガイド部材〜第３ガイド部材の厚みを変更する場合について説明する。なお、以下では、説明の重複を避けるため、第１および第２の実施形態と異なる構成について主に説明し、第１および第２の実施形態と同じ構成については説明を省略する。
【００５１】
図１０は、第３の実施形態に係る中板の平面図、矢印Ａから見た矢視図および矢印Ｂから見た矢視図である。また、図１１は、図１０に示す第１〜第３ガイド部材の作用を説明するための斜視図である。
【００５２】
図１０の平面図に示すように、中板２７０は、第１支持部２７１、第２支持部２７２、第３支持部（不図示）、第４支持部（不図示）、仕切り部２７５と、第１凹部２７６、第２凹部２７７、第１ガイド部材２７８、第２ガイド部材２７９および第３ガイド部材２８０を有する。本実施形態では、第１支持部２７１および仕切り部２７５の電極タブ１１０，１２０に面する側の角部が面取りされている。
【００５３】
図１０の矢印Ａから見た矢視図に示すように、本実施形態では、第１ガイド部材２７８〜第３ガイド部材２８０は、Ｙ方向に沿って、第１凹部２７６または第２凹部２７７の側部に近いほど厚く、中心２７６Ｃまたは２７７Ｃに近いほど薄く形成されうる。
【００５４】
より具体的には、第１ガイド部材２７８は、Ｙ方向に沿って、第１凹部２７６の側部、すなわち第１支持部２７１の側部に近いほど厚く、第１凹部２７６の中心２７６Ｃに近いほど薄く形成されうる。また、第２ガイド部材２７９は、Ｙ方向に沿って、第１凹部２７６の側部、すなわち仕切り部２７５の側部に近いほど厚く、第１凹部２７６の中心２７６Ｃに近いほど薄く形成されうる。また、第３ガイド部材２８０は、Ｙ方向に沿って、第２凹部２７７の側部、すなわち仕切り部２７５の側部に近いほど厚く、第２凹部２７７の中心２７７Ｃに近いほど薄く形成されうる。
【００５５】
また、図１０の矢印Ｂから見た矢視図に示すように、本実施形態では、第１ガイド部材２７８〜第３ガイド部材２８０は、第１凹部２７６または第２凹部２７７の底部に近いほど厚く形成されうる。
【００５６】
図１０および図１１に示すように、第１ガイド部材２７８は、第１凹部２７６の底部に近いほど厚く形成される。したがって、第１ガイド部材２７８はＸ方向に対して上向きに傾斜しているので、電池セル１００が抜き差しされる際、電極タブ１１０，１２０と第１ガイド部材２７８の角部とが接触することを防止もしくは抑制できる。また、第２ガイド部材２７９は、第１凹部２７６の底部に近いほど厚く形成される。したがって、第２ガイド部材２７９はＸ方向に対して上向きに傾斜しているので、電池セル１００が抜き差しされる際、電極タブ１１０，１２０と第２ガイド部材２７９の角部とが接触することを防止もしくは抑制できる。また、第３ガイド部材２８０は、第２凹部２７７の底部に近いほど厚く形成される。したがって、第３ガイド部材２８０はＸ方向に対して上向きに傾斜しているので、電池セル１００が抜き差しされる際、電極タブ１１０，１２０と第３ガイド部材２８０の角部とが接触することを防止もしくは抑制できる。
【００５７】
また、第１支持部２７１および仕切り部２７５は面取りされているので、第１ガイド部材２７８〜第３ガイド部材２８０とともにＹまたは−Ｙ方向に段差の少ないスロープを形成する。したがって、電池セル１００を電池セル収納装置２００に対して抜き差しする際に、電極タブ１１０，１２０が第１支持部２７１および仕切り部２７５に引っかかることを防止もしくは抑制し、電極タブ１１０，１２０を確実にガイドできる。
【００５８】
以上で説明された本実施形態の電池セル収納装置２００は第１および第２の実施形態の効果に加えて下記の効果を奏する。
【００５９】
（ｇ）第１ガイド部材２７８〜第３ガイド部材２８０はＸ方向に対して上向きに傾斜している。したがって、電池セル１００が抜き差しされる際、電極タブ１１０，１２０と第１ガイド部材２７８〜第３ガイド部材２８０の角部とが接触することを防止もしくは抑制し、電極タブ１１０，１２０を確実にガイドできる。
【００６０】
以上のとおり、実施形態において、本発明の電池セル収納装置を説明した。しかしながら、本発明は、その技術思想の範囲内において当業者が適宜に追加、変形、および省略することができることはいうまでもない。
【００６１】
たとえば、第１および第２の実施形態では、電池セルが一側に正極タブおよび負極タブを１個ずつ有する場合について説明した。しかしながら、本発明は電極タブの個数が２つの場合に限定されず、一側に任意の複数の電極タブを有する電池セルに適用できる。
【００６２】
また、第１および第２の実施形態では、第１〜第３ガイド部材を同様の形状で形成する場合について説明したが、第１〜第３ガイド部材はすべて同様の形状で形成する必要はない。たとえば、第３ガイド部材を第１および第２ガイド部材と異なる形状に形成してもよい。
【符号の説明】
【００６３】
１００  電池セル、
１１０，１２０  正極タブ、負極タブ、
１３０  外装材、
２００  電池収納装置、
２１０  フレーム、
２１１，２１２  側板、
２１２Ｈ  挿通孔、
２１３  底板、
２１４  通し棒、
２２０  固定部、
２２１  ネジ部、
２２２  可動プレート、
２２３  当接部、
２３０，２５０，２７０  中板、
２３１〜２３４，２５１〜２５４，２７１〜２７４  第１〜第４支持部、
２３５，２５５，２７５  仕切り部、
２３６，２３７，２５６，２５７，２７６，２７７  第１凹部、第２凹部、
２３８〜２４０，２５８〜２６０，２７８〜２８０  第１ガイド部材〜第３ガイド部材、
３００  駆動装置、
４００  計測機器、
４０１，４０２  リード。
【図１】
0006540368.tif 000002
【図２】
0006540368.tif 000003
【図３】
0006540368.tif 000004
【図４】
0006540368.tif 000005
【図５】
0006540368.tif 000006
【図６】
0006540368.tif 000007
【図７】
0006540368.tif 000008
【図８】
0006540368.tif 000009
【図９】
0006540368.tif 000010
【図１０】
0006540368.tif 000011
【図１１】
0006540368.tif 000012